(57)【要約】      （修正有）【課題】専用のネットワーク機器を用いることなく、各端末装置とネットワーク機器の接続ポートとの接続関係が容易に確認できる端末装置を提供する。【解決手段】通信ケーブルが接続される複数のハブ側接続ポートと、ハブ側接続ポート毎の通信回線が確立すると点灯し、非確立時には消灯する複数の機器側リンクＬＥＤとを有するスイッチングハブに通信ケーブルＣを介して接続されるレーザ加工装置であって、スイッチングハブとの通信回線が確立すると点灯し、非確立時には消灯する端末側リンクＬＥＤ２２と、通信ケーブルの抜き差し操作が行われたことを検出するトリガ検出部２４と、トリガ検出部２４によって抜き差し操作が検出されたことに基づいて、通信回線の確立と非確立とを交互に繰り返すことで、両リンクＬＥＤを点滅させる通信制御部２３とを備える。【選択図】図３
2015198310.tif 000002
【特許請求の範囲】
【請求項１】
ケーブルが接続される複数の接続ポートと、前記接続ポート毎の通信回線が確立すると点灯し、非確立時には消灯する複数の機器側リンクランプとを有するネットワーク装置に前記ケーブルを介して接続される端末装置であって、
端末側表示灯と、
前記通信回線が確立された状態から非確立状態を経て再度確立された状態になったことを検出するトリガ検出部と、
前記トリガ検出部によって前記通信回線が確立された状態から非確立状態を経て再度確立された状態になったことが検出された時には、前記端末側表示灯を点滅させる制御部とを備える端末装置。
【請求項２】
前記端末側表示灯は、通信回線が確立すると点灯し、非確立時には消灯する端末側リンクランプであって、
前記制御部は、前記トリガ検出部によって前記通信回線が確立された状態から非確立状態を経て再度確立された状態になったことが検出された時には、前記通信回線の確立と非確立とを交互に繰り返すことで、前記端末側リンクランプおよび前記機器側リンクランプを点滅させる請求項１に記載の端末装置。
【請求項３】
前記制御部は、前記トリガ検出部によって前記通信回線が確立された状態から非確立状態を経て再度確立された状態になったことが検出された時から所定の時間経過後に、前記端末側表示灯を点滅状態から点灯状態に復帰させる請求項１または請求項２に記載の端末装置。
【請求項４】
前記通信回線が確立された状態から非確立状態を経て再度確立された状態になるまでの間の時間を計測する時間計測部を備え、前記制御部は、前記時間計測部によって計測された時間に応じて前記端末側表示灯の点滅する態様を異ならせる請求項１から請求項３の何れか一項に記載の端末装置。
【請求項５】
前記制御部は、前記端末側表示灯が点滅している間に、前記トリガ検出部によって前記通信回線が確立された状態から非確立状態を経て再度確立された状態になったことが再検出されたことに基づいて、前記端末側表示灯を点滅状態から点灯状態に復帰させる請求項１から請求項４の何れか一項に記載の端末装置。
【請求項６】
複数の接続ポートを有するネットワーク装置の前記接続ポートにケーブルを介して端末装置が接続されて通信回線が確立することで構成されたネットワークにおいて、前記複数の接続ポートのうちの何れの前記接続ポートに前記端末装置が接続されているか確認する接続確認方法であって、
前記通信回線が確立された状態から非確立状態を経て再度確立された状態になったことを検出するトリガ検出ステップと、
前記トリガ検出ステップによって前記通信回線が確立された状態から非確立状態を経て再度確立された状態になったことが検出された時に、前記端末装置に設けられた端末側表示灯を点滅させる制御ステップとを有する接続確認方法。
【発明の詳細な説明】
【技術分野】
【０００１】
本発明は、ネットワーク装置に接続される端末装置およびその確認方法に関する。
【背景技術】
【０００２】
従来、ファクトリーオートメーションの分野では、例えば、プログラマブルコントローラやレーザ加工機などの複数の端末装置に設けられた接続ポートと、スイッチングハブなどのネットワーク装置に設けられた複数の接続ポートとをそれぞれ通信ケーブルを介して接続することでＬＡＮ（ローカルエリアネットワーク）が構築されている。
【０００３】
ところで、通信ケーブルは、複数本を一括して束ねたり、床下や天井裏に収容されたりして長距離に亘って配索されるため、メンテナンスなどにより端末装置を移動したり、撤去したりする場合には、各端末装置がネットワーク装置のどの接続ポートに接続されているかを確認することは困難である。
このため、ネットワーク装置に接続した端末装置からネットワーク装置に対して、対応する接続ポートのインジケータを所定時間発光させるポート発光要求を含んだパケットを送信することで、パケットを受信した接続ポートのインジケータを所定時間発光させ、各端末装置がネットワーク装置のどの入出力ポートに接続されているかを確認する。このような技術としては、例えば、特開２０１１−２０５４４８号公報（特許文献１）に記載されている。
【先行技術文献】
【特許文献】
【０００４】
【特許文献１】特開２０１１−２０５４４８号公報
【発明の概要】
【発明が解決しようとする課題】
【０００５】
ところで、上記のような方法によると、接続ポートのインジケータを所定時間発光させるポート発光要求を受信して、インジケータを発光させる専用のネットワーク機器が必要となってしまう。
【０００６】
本発明は上記のような事情に基づいて完成されたものであって、ポート発光要求などを受信する機能を備えた専用のネットワーク機器を用いることなく、各端末装置とネットワーク機器の接続ポートとの接続関係が容易に確認できる端末装置を提供することを目的とする。
【課題を解決するための手段】
【０００７】
本明細書によって開示される端末装置は、ケーブルが接続される複数の接続ポートと、前記接続ポート毎の通信回線が確立すると点灯し、非確立時には消灯する複数の機器側リンクランプとを有するネットワーク装置に前記ケーブルを介して接続される端末装置であって、端末側表示灯と、前記通信回線が確立された状態から非確立状態を経て再度確立された状態になったことを検出するトリガ検出部と、前記トリガ検出部によって前記通信回線が確立された状態から非確立状態を経て再度確立された状態になったことが検出された時には、前記端末側表示灯を点滅させる制御部とを備えるところに特徴を有する。
【０００８】
また、本明細書によって開示される技術は、複数の接続ポートを有するネットワーク装置の前記接続ポートにケーブルを介して端末装置が接続されて通信回線が確立することで構成されたネットワークにおいて、前記複数の接続ポートのうちの何れの前記接続ポートに前記端末装置が接続されているか確認する接続確認方法であって、前記通信回線が確立された状態から非確立状態を経て再度確立された状態になったことを検出するトリガ検出ステップと、前記トリガ検出ステップによって前記通信回線が確立された状態から非確立状態を経て再度確立された状態になったことが検出された時に、前記端末装置に設けられた端末側表示灯を点滅させる制御ステップとを有するところに特徴を有する。
【０００９】
このような構成によると、ネットワーク装置の接続ポートにおいてケーブルを抜き差しする抜き差し操作などを行うだけで、前記通信回線が確立された状態から非確立状態を経て再度確立された状態になったことが検出される。その結果、制御部によって端末側表示灯を点滅させる。したがって、従来のように、ポート発光要求を受信する機能を備えた専用のネットワーク装置が不要で、そのような機能がない汎用のネットワーク装置に端末装置が接続されている場合でも、ネットワーク装置側から端末装置を確認することができる。また、例えば、ケーブルをポート確認専用のポート検出器などに接続して接続ポートを確認した後、再度ケーブルを端末装置に接続し直す方法に比べて、作業工数を削減することができると共に専用のポート検出器などを不要とすることができる。
【００１０】
本明細書によって開示される端末装置の態様として、以下の構成が好ましい。
前記端末側表示灯は、通信回線が確立すると点灯し、非確立時には消灯する端末側リンクランプであって、前記制御部は、前記トリガ検出部によって前記通信回線が確立された状態から非確立状態を経て再度確立された状態になったことが検出されたときには、前記通信回線の確立と非確立とを交互に繰り返すことで、前記端末側リンクランプ及び前記機器側リンクランプを点滅させる構成としてもよい。
【００１１】
このような構成によると、通信回線が確立された状態から非確立状態を経て再度確立された状態になったことが検出された際に、通信回線の確立と非確立とが交互に繰り返され、双方のリンクランプがそれに合わせて点滅することになるから、端末装置に専用ランプや専用ランプの制御手段を別途設ける場合に比べて、端末装置の構成を簡素化することができる。また、端末装置側において、ケーブルを抜き差しする抜き差し操作を行った場合にも、機器側リンクランプが点滅するから、端末装置側からネットワーク装置の何れの接続ポートに接続されていたかを確認することができる。
【００１２】
前記制御部は、前記トリガ検出部によって前記通信回線が確立された状態から非確立状態を経て再度確立された状態になったことが検出された時から所定の時間経過後に、前記端末側表示灯を点滅状態から点灯状態に復帰させる構成としてもよい。
このような構成によると、所定の時間経過すると、端末側表示灯の点滅が点灯状態に復帰する。これにより、復帰手段を別途設けたり、端末側表示灯を復帰させるための作業を増加させたりすることを防ぐことができる。
【００１３】
前記通信回線が確立された状態から非確立状態を経て再度確立された状態になるまでの時間を計測する時間計測部を備え、前記制御部は、前記時間計測部によって計測された時間に応じて前記端末側表示灯の点滅する態様を異ならせる構成にしてもよい。
このような構成によると、前記通信回線が確立された状態から非確立状態を経て再度確立された状態になるまでの時間に応じて、端末側表示灯における点灯パターンや表示時間などの点灯する態様を変更することができる。つまり、例えば、端末側表示灯毎に点滅パターンを異ならせることで、それぞれの接続ポートと端末装置との接続関係を一括して確認することができる。また、前記通信回線が確立された状態から非確立状態を経て再度確立された状態になるまでの時間に応じて、端末側表示灯の点滅時間を異ならせることで、ネットワーク装置と端末装置との間の距離に合わせて点滅している時間を容易に変更することができる。
【００１４】
前記制御部は、前記端末側表示灯が点滅している間に、前記トリガ検出部によって前記通信回線が確立された状態から非確立状態を経て再度確立された状態になったことが再検出されたことに基づいて、前記端末側表示灯を点滅状態から点灯状態に復帰させる構成にしてもよい。
このような構成によると、端末側表示灯の何れが点滅しているか確認した後、ケーブルの抜き差し操作などを行うことで、通信回線が確立された状態から非確立状態を経て再度確立された状態にして、端末側表示灯を点滅状態から点灯状態に復帰させることができるから、例えば、ネットワーク装置と端末装置とが遠く離れて設置されているなど、ケーブルの抜き差し操作などにより通信回線が確立された状態から非確立状態を経て再度確立された状態になった後に、端末側表示灯の状態を速やかに確認できない場合に有効である。
【発明の効果】
【００１５】
本明細書によって開示される技術によれば、ポート発光要求などを受信する機能を備えた専用のネットワーク機器を用いることなく、各端末装置とネットワーク機器の接続ポートとの接続関係が容易に確認できる。
【図面の簡単な説明】
【００１６】
【図１】ＬＡＮの構成を示す模式図
【図２】レーザ加工機のブロック図
【図３】通信コントローラのブロック図
【図４】実施形態１の通信コントローラが実行するフローチャート
【図５】実施形態２の通信コントローラが実行するフローチャート
【図６】実施形態３の通信コントローラが実行するフローチャート
【発明を実施するための形態】
【００１７】
＜実施形態１＞
実施形態１について図１から図４を参照しつつ説明する。
本実施形態は、図１に示すように、ファクトリーオートメーションの分野において、スイッチングハブやルータなどの汎用のネットワーク装置に代表されるスイッチングハブ３０に、レーザ加工装置やプログラマブルコントローラなどに代表される複数のレーザ加工装置１０が通信ケーブル（「ケーブル」に相当する）Ｃを介して接続されたＬＡＮ（ローカルエリアネットワーク）１００を例示している。なお、以下の説明において、ネットワーク装置としてはスイッチングハブ３０を例に挙げて説明するが、ネットワーク装置としては、ルータであってもよい。また、端末装置としてはレーザ加工装置１０を例に挙げて説明するが、プログラマブルコントローラ、センサ機器などその他のネットワーク端末装置であっても同様である。
【００１８】
スイッチングハブ３０には、通信ケーブルＣが接続されるハブ側接続ポート（「接続ポート」の一例）３１が横並びに複数（本実施形態では６ポート）設けられている。ハブ側接続ポート３１は、モジュラジャックコネクタ３１Ａを有しており、モジュラジャックコネクタ３１Ａに通信ケーブルＣが差し込まれることで、ハブ側接続ポート３１に通信ケーブルＣが接続されるようになっている。
【００１９】
各ハブ側接続ポート３１の上方にはそれぞれのハブ側接続ポート３１に対応して設けられたハブ側リンクＬＥＤ（「端末側リンクランプ」の一例）３２が設けられている。各ハブ側リンクＬＥＤ３２は、対応するハブ側接続ポート３１および後述するレーザ加工装置１０の端末側接続ポート２１に通信ケーブルＣが差し込まれてスイッチングハブ３０とレーザ加工装置１０との通信回線が確立されると点灯し、ハブ側接続ポート３１もしくは端末側接続ポート２１の少なくとも何れか一方から通信ケーブルＣが引き抜かれて通信回線が非確立状態になると消灯するようになっている。なお、ハブ側リンクＬＥＤ３２は、通信回線が確立された状態を表示する機能だけでなく、データの送受信状態を表示する機能を付加することで、トラフィックが生じた場合に点滅させるように構成されていてもよい。
【００２０】
レーザ加工装置１０は、図２に示すように、レーザ光源１１と、レーザ光源１１からのレーザ光を走査するガルバノスキャナ１２と、コントローラ１３とを備えて構成されている。コントローラ１３によってレーザ光源１１およびガルバノスキャナ１２を制御し、レーザ光源１１から出射されたレーザ光をガルバノスキャナ１２によって向きを変更し、図示しない加工対象物に対してレーザ光を照射する。
【００２１】
コントローラ１３は、レーザ光源１１とガルバノスキャナ１２とを制御するＣＰＵ１４と、加工データを記憶するメモリ１５と、通信回線を制御する通信コントローラ２０とを備えて構成されている。ＣＰＵ１４は、メモリ１５から加工データ読み出し、読み出された加工データに基づいて、レーザ光源１１およびガルバノスキャナ１２を制御し、レーザ光によって加工対象物の加工を行う。
【００２２】
通信コントローラ２０は、スイッチングハブ３０とＣＰＵ１４との間で入出力される通信信号を制御するものであって、図３に示すように、端末側接続ポート２１と、端末側リンクＬＥＤ（「端末側表示灯」、「端末側リンクランプ」の一例）２２と、通信制御部（「制御部」の一例）２３とを備えて構成されている。
端末側接続ポート２１は、モジュラジャックコネクタ２１Ａを有しており、モジュラジャックコネクタ２１Ａに通信ケーブルＣが差し込まれることで、端末側接続ポート２１に通信ケーブルＣが接続されるようになっている。
【００２３】
通信制御部２３は、端末側接続ポート２１を介して入出力されるネットワーク信号を制御するものであって、端末側接続ポート２１のモジュラジャックコネクタ２１Ａとスイッチングハブ３０のハブ側接続ポート３１におけるモジュラジャックコネクタ３１Ａとに通信ケーブルＣが差し込まれてスイッチングハブ３０とレーザ加工装置１０とが通信ケーブルＣを介して接続されると、通信回線を確立させ、端末側リンクＬＥＤ２２を点灯させる。また、ハブ側接続ポート３１もしくは端末側接続ポート２１の少なくとも何れか一方から通信ケーブルＣが引き抜かれて通信回線が非確立状態になると、端末側リンクＬＥＤ２２を消灯させる。
【００２４】
さて、通信コントローラ２０は、トリガ検出部２４を有しており、通信制御部２３は、トリガ検出部２４からの検出信号を受信すると、図４のフローチャートに示す制御を実行する。
トリガ検出部２４は、スイッチングハブ３０とレーザ加工装置１０との通信回線が確立された状態において、ハブ側接続ポート３１もしくは端末側接続ポート２１のどちらかで通信ケーブルＣが引き抜かれて通信回線が非確立状態となり、通信ケーブルＣが差し込まれて再び通信回線が確立された、いわゆる通信ケーブルＣの抜き差し操作を検出すると、通信制御部２３にトリガ操作検出信号を送信する（Ｓ１）。
【００２５】
通信制御部２３は、トリガ検出部２４から送信されたトリガ検出信号を受信すると、通信回線の確立と非確立とを交互に繰り返す（Ｓ２）。通信回線の確立と非確立とが交互に繰り返されると、これに伴って、端末側リンクＬＥＤ２２およびハブ側リンクＬＥＤ３２が点灯と消灯とを交互に繰り返し、いわゆる点滅状態となる。
そして、通信制御部２３は、トリガ検出信号を受信してから所定の時間が経過すると（Ｓ３）、通信回線の確立と非確立とを交互に繰り返す動作を解除し、通信回線が確立された通常の状態に自動復帰させるようになっている（Ｓ４）。
【００２６】
本実施形態は、以上のような構成であって、続いて、本実施形態の作用および効果について説明する。
本実施形態のように、スイッチングハブのハブ側接続ポートにレーザ加工装置やプログラマブルコントローラなどの複数の端末装置が接続されてＬＡＮが構成されている場合、通信ケーブルは、複数本を一括して束ねたり、床下や天井裏に収容されたりして長距離に亘って配索される。このため、メンテナンスや端末装置の更新などにより特定の端末装置を移動したり、撤去したりする場合には、特定の端末装置がスイッチングハブのどのハブ側接続ポートに接続されているかを確認することは困難である。
【００２７】
ところが、本実施形態のレーザ加工装置１０によると、スイッチングハブ３０のハブ側接続ポート３１もしくはレーザ加工装置１０の端末側接続ポート２１において、通信回線が確立された状態から非確立状態を経て再度確立された状態となる、いわゆる通信ケーブルＣの抜き差し操作を行うと、図４のフローチャートに示すように、レーザ加工装置１０の通信コントローラ２０におけるトリガ検出部２４において、通信ケーブルＣの抜き差し操作を検出し、通信制御部２３にトリガ操作検出信号を送信する（Ｓ１）。
【００２８】
通信制御部２３は、トリガ検出部２４から送信されたトリガ操作検出信号を受信すると、通信回線の確立と非確立とを交互に繰り返し動作を開始する。すると、これに伴って、端末側リンクＬＥＤ２２およびハブ側リンクＬＥＤ３２が点灯と消灯とを交互に繰り返し、いわゆる点滅状態となる（Ｓ２）。
【００２９】
つまり、本実施形態のレーザ加工装置１０が接続されたＬＡＮ１００によると、ハブ側接続ポート３１もしくは端末側接続ポート２１のどちらかにおいて、通信ケーブルＣの抜き差し操作をするだけで、ハブ側リンクＬＥＤ３２と端末側リンクＬＥＤ２２とが点灯状態から点滅状態となる。この結果、従来のように、ポート発光要求を受信する機能を備えた専用のネットワーク装置を用いることなく、そのような機能がない汎用のスイッチングハブ３０にレーザ加工装置１０が接続されている場合でも、そのレーザ加工装置１０がスイッチングハブ３０のどのハブ側接続ポート３１に接続されているか、或いは、スイッチングハブ３０のハブ側接続ポート３１がどのレーザ加工装置１０に接続されているかを容易に確認することができる。
【００３０】
また、例えば、通信ケーブルを、接続ポート確認するための専用のポート検出器などに接続してスイッチングハブのハブ側接続ポートを確認した後、再度通信ケーブルを端末装置に接続し直す方法に比べて、作業工数を削減することができると共に専用のポート検出器を不要とすることができる。
【００３１】
ところで、レーザ加工装置にポート確認用の確認専用ランプを設けて、通信ケーブＣの抜き差し操作が行われた際に、確認専用ランプを点滅させることにより、目的のレーザ加工装置を確認する方法も考えられる。しかしながら、本実施形態によると、端末側リンクＬＥＤ２２を点滅させることにより、目的のレーザ加工装置１０を確認することができるから、確認専用ランプや確認専用ランプを制御する制御手段をレーザ加工装置に別途設ける場合に比べて、レーザ加工装置１０の構成を簡素化することができる。
そして、通信制御部２３が、トリガ検出部２４によって通信ケーブルＣの抜き差し操作を検出してから所定の時間が経過すると（Ｓ３）、通信回線の確立と非確立とを交互に繰り返す動作を解除する（Ｓ４）。この結果、通信回線が確立された通常の状態に自動復帰する。
【００３２】
すなわち、通信制御部２３が、トリガ検出部２４によって通信ケーブルＣの抜き差し操作を検出してから所定の時間の経過後、通信回線の確立と非確立とを交互に繰り返す動作が解除され、通信回線が確立された通常の状態に自動復帰するから、例えば、通信回線を手動によって復帰させる復帰手段を別途設ける場合に比べて、作業工数を削減することができる。
【００３３】
＜実施形態２＞
次に、実施形態２について図５を参照しつつ説明する。
実施形態２は、実施形態１のトリガ検出部２４における検出内容と、通信制御部２３における通信回線の確立と非確立との繰り返し動作の構成とを変更したものであって、実施形態１と共通する構成、作用、および効果については重複するため、その説明を省略する。また、実施形態１と同じ構成については同一の符号を用いるものとする。
【００３４】
実施形態２は、ハブ側接続ポート３１もしくは端末側接続ポート２１のどちらかにおいて通信ケーブルＣ抜き差しされた時間、すなわちトリガ操作に要した時間を計測することで、その計測した時間に応じて、通信回線の確立と非確立とを交互に繰り返し動作の態様を変更するものである。
【００３５】
詳細には、図５に示すように、トリガ検出部２４において、ハブ側接続ポート３１もしくは端末側接続ポート２１のどちらかにおいて通信ケーブルＣが引き抜かれたことを検出すると、通信制御部２３に引抜検出信号を送信する（Ｓ２１）。
実施形態２の通信制御部２３は、時間計測部（図示せず）を内部に備えており、引抜検出信号を受信すると、時間計測部おいて時間の計測を開始する（Ｓ２２）。
【００３６】
そして、トリガ検出部２４において、引き抜いた接続ポートに通信ケーブルＣが差し込まれて、通信回線が確立されたことを検出すると、通信制御部２３に差込検出信号を送信する（Ｓ２３）。
通信制御部２３は、差込検出信号を受信すると、時間計測部において時間の計測を終了する。また、通信制御部２３は、時間計測部おいて計測した時間に基づいて、通信回線の確立と非確立との繰り返し動作を行う（Ｓ２４）。ここで、通信回線の確立と非確立との繰り返し動作の態様は、通信回線の確立と非確立との繰り返しを行う時間を長くしたり、短くしたりしてもよく、また、通信回線の確立と非確立との繰り返し間隔を変更してもよい。
【００３７】
つまり、本実施形態によると、ハブ側接続ポート３１もしくは端末側接続ポート２１のどちらかにおいて、通信ケーブルＣを抜き差しする時間、すなわち、通信ケーブルＣの抜き差し操作に要する時間を、通信制御部２３の時間計測部において計測し、その計測した時間に応じて通信回線の確立と非確立との繰り返しの動作の態様を様々な状態にする。したがって、ハブ側リンクＬＥＤ３２と端末側リンクＬＥＤ２２とが様々な点滅状態となる。
【００３８】
すなわち、本実施形態によると、例えば、スイッチングハブ３０において、１つめのハブ側接続ポート３１の抜き差し操作に要する時間と、２つめのハブ側接続ポート３１の抜き差し操作に要する時間とを異ならせることで、１つめのハブ側接続ポート３１に接続されたレーザ加工装置１０の端末側リンクＬＥＤ２２と、２つめのハブ側接続ポート３１に接続されたレーザ加工装置１０の端末側リンクＬＥＤ２２との点滅パターンとが異なった状態になるから、スイッチングハブ３０におけるハブ側接続ポート３１とレーザ加工装置１０との接続関係を一括して確認することができる。
【００３９】
また、例えば、スイッチングハブ３０とレーザ加工装置１０とが遠く離れて設置されており、作業者が１人で作業を行う場合、通信回線の確立と非確立との繰り返し動作の時間が所定の時間で終了すると、相手方が設置された場所に辿り着く前に、通信回線の確立と非確立との繰り返し動作が終了してしまう虞がある。しかしながら、本実施形態によると、例えば、ハブ側接続ポート３１もしくは端末側接続ポート２１の抜き差し操作に要する時間を長くしたときには、通信回線の確立と非確立との繰り返し時間も長くする態様にすることで、スイッチングハブ３０とレーザ加工装置１０とが遠く離れて設置された環境にも対応させることができる。
【００４０】
＜実施形態３＞
次に、実施形態３について図６を参照しつつ説明する。
実施形態３は、実施形態１の通信制御部２３が通信回線の確立と非確立とを交互に繰り返す動作の解除に関する構成を変更したものであって、実施形態１と共通する構成、作用、および効果については重複するため、その説明を省略する。また、実施形態１と同じ構成については同一の符号を用いるものとする。
【００４１】
実施形態３における通信制御部２３は、トリガ検出部２４から送信されたトリガ操作検出信号を受信すると、通信回線の確立と非確立とを交互に繰り返し動作を開始する（Ｓ２）。ここで、本実施形態は、通信制御部２３が、通信回線の確立と非確立との繰り返し動作を所定の時間で停止させることなく、通信回線の確立と非確立との繰り返し動作を継続する。
そして、スイッチングハブ３０のハブ側接続ポート３１もしくはレーザ加工装置１０の端末側接続ポート２１において、再び通信ケーブルＣを抜き差しすると、トリガ検出部２４において、通信ケーブルＣの抜き差し操作を検出し、通信制御部２３にトリガ操作検出信号を送信する（Ｓ３３）。
【００４２】
通信制御部２３は、トリガ検出部２４から送信されたトリガ操作検出信号を受信すると、通信回線の確立と非確立とを交互に繰り返し動作を解除し、通信回線を確立した状態にする（Ｓ４）。
したがって、本実施形態によると、通信ケーブルＣの抜き差し操作を行うと、ハブ側リンクＬＥＤ３２と端末側リンクＬＥＤ２２とが点滅状態となり、再度、通信ケーブルＣの抜き差し操作を行うと、通信回線が確立された状態に復帰する。
【００４３】
つまり、ハブ側リンクＬＥＤ３２と端末側リンクＬＥＤ２２とが点滅状態となると、再度、通信ケーブルＣの抜き差し操作を行うまで、点滅状態が継続されるから、例えば、スイッチングハブ３０とレーザ加工装置１０とが遠く離れて設置された環境においても、確実に相手方を確認することができる。また、相手方において、通信ケーブルＣの抜き差し操作を行うことで、スイッチングハブ３０とレーザ加工装置１０との通信回線を確立させることができるから、例えば、スイッチングハブ３０とレーザ加工装置１０とが遠く離れて設置されており、作業者が１人で作業を行う場合においても、相手方を確認した後で、速やかに通信回線を確立させ、通信回線が非確立状態となる時間を短縮することができる。
【００４４】
＜他の実施形態＞
本明細書で開示される技術は上記記述及び図面によって説明した実施形態に限定されるものではなく、例えば次のような実施形態も技術的範囲に含まれる。
【００４５】
（１）上記実施形態では、端末装置としてレーザ加工装置１０を一例として示した。しかしながら、これに限らず、レーザセンサ等の入力装置やプログラマブルコントローラに本明細書で開示した技術を適用してもよい。
（２）上記実施形態では、レーザ加工装置１０の端末側リンクＬＥＤ２２を点滅させる構成とした。しかしながら、これに限らず、端末装置に端末側リンクＬＥＤ２２とは異なるポート確認専用のランプを設けてもよい。
【符号の説明】
【００４６】
１０：レーザ加工装置（端末装置）
２２：端末側リンクＬＥＤ（端末側表示灯、端末側リンクランプ）
２３：通信制御部（制御部、時間計測部）
２４：トリガ検出部
３０：スイッチングハブ（ネットワーク装置）
３１：ハブ側接続ポート（接続ポート）
３２：ハブ側リンクＬＥＤ（機器側リンクランプ）
１００：ＬＡＮ
Ｃ：通信ケーブル（ケーブル）
Ｓ１，Ｓ２１：トリガ検出ステップ
Ｓ２，Ｓ２５：制御ステップ
【図１】
2015198310.tif 000003
【図２】
2015198310.tif 000004
【図３】
2015198310.tif 000005
【図４】
2015198310.tif 000006
【図５】
2015198310.tif 000007
【図６】
2015198310.tif 000008